(57)【要約】【課題】    水平方向に剪断する荷重が加わった際にも、充分な耐荷重性を発揮出来、貯留空間の形状を保持出来る雨水流出抑制施設を提供する。【解決手段】  雨水等を一時貯留する貯留部２内に縦横かつ上下に連設して、貯留空間２６を形成する充填部材２７…を有する雨水流出抑制施設２０である。  各充填部材２７…には、上下に貫通するパイプ挿通孔２７ｆ…が形成されると共に、複数枚、上下方向に積層された充填部材２７…の各パイプ挿通孔２７ｆ…に挿通されるパイプ状部材２９を設け、充填部材２７の最上部の上面側又は最下部の下面側には、パイプ状部材２９の上端部２９ａ又は下端部２９ｂを当接させて嵌着する端部受部３０ｅ，５０ｅが形成された補強平板部材３０及び前記板状支持部材５０が装着されている。【選択図】図１
2006083555.tif 000002
【特許請求の範囲】
【請求項１】
雨水等を一時貯留する貯留部内に、充填部材を縦横かつ上下に連設して、貯留空間を形
成する雨水流出抑制施設において、
前記充填部材には、上下に貫通するパイプ挿通孔が形成されると共に、複数枚、上下方
向に積層された前記充填部材の各パイプ挿通孔に挿通されるパイプ状部材を設け、前記充
填部材の最上部の上面側又は最下部の下面側には、前記パイプ状部材の上端部又は下端部
を当接させて嵌着する端部受部が形成されたパイプ取付部材が装着されていることを特徴
とする雨水流出抑制施設。
【請求項２】
前記パイプ状部材の内部を中空状とすると共に、前記貯留空間と連通する連通部を有す
ることにより、雨水を該パイプ状部材内部に貯留可能なパイプ内貯留空間が形成されてい
ることを特徴とする請求項１記載の雨水流出抑制施設。
【請求項３】
前記パイプ状部材の内部に形成された中空状部に、補強材を充填することを特徴とする
請求項１記載の雨水流出抑制施設。
【発明の詳細な説明】
【技術分野】
【０００１】
この発明は、降雨時に、雨水を一時貯留して、浸透又は排水させることにより、河川や
下水道施設への負荷を低減させる雨水流出抑制施設に関するものである。
【背景技術】
【０００２】
従来、図１８に示すような雨水流出抑制施設が、知られている（例えば、特許文献１等
参照）。
【０００３】
まず、構成から説明すると、この従来の雨水流出抑制施設では、地面１を掘り下げて凹
設された貯留部２が形成されている。
【０００４】
この貯留部２は、雨水等を一時貯留するため、周囲の側壁面部２ｂに緩傾斜が与えられ
ると共に、平面状の底面部２ａに、砂利が引き詰められた砂利層３が設けられている。
【０００５】
また、この貯留部２内には、有底箱状の箱状部材４…が、縦横かつ上下に複数個連設さ
れて、貯留空間５が形成されている。
【０００６】
この箱状部材４の上縁部及び下縁部には、鍔部４ａ…が、側方に向けて一体に突設され
ている。
【０００７】
この鍔部４ａには、上下方向に連設される他の箱状部材４の対向する鍔部４ａに向けて
突設される複数の係合突起及びこれらの係合突起と係合する係合孔が形成されている。
【０００８】
そして、これらの対向する鍔部４ａ，４ａ同士が、前記係合突起及び係合孔によって係
合されて、上下方向に連設されて積層されるように構成されている。
【０００９】
また、この砂利層３によって周囲を覆われた前記貯留空間５は、前記周囲の地面１と略
同じ高さ位置となるように被覆層６によって覆われている。
【００１０】
次に、この従来の雨水流出抑制施設の作用について説明する。
【００１１】
このように構成された従来の雨水流出抑制施設では、降雨により、雨水が、前記貯留部
２に形成される貯留空間５内に側溝７等から浸入すると、これらの雨水が、この貯留空間
５内に一時的に留まり、流出口８から排水される。
【００１２】
このため、一度に大量の雨が降っても、この雨水流出抑制施設の貯留部２に形成される
貯留空間５内に雨水が一時貯留されて、河川や下水道施設等の豪雨による急激な増水を緩
和することができる。
【特許文献１】特許第１７３９５９８号（特公平４−２６６４８号（第（３）頁右欄第９行目乃至第（５）頁右欄第５行目、第１図乃至第８図））
【発明の開示】
【発明が解決しようとする課題】
【００１３】
しかしながら、このような従来の雨水流出抑制施設では、例えば、地震等による大きな
水平方向の剪断力が、上下方向に連設された前記箱状部材４，４間に加わると、前記係合
突起及び係合孔による鍔部４ａ，４ａ同士の係合が外れて、前記貯留空間５が損壊する虞
があった。
【００１４】
そこで、この発明は、水平方向に剪断する荷重が加わった際にも、充分な耐荷重性を発
揮出来、貯留空間の形状を保持出来る雨水流出抑制施設を提供することを課題としている
。
【課題を解決するための手段】
【００１５】
上記目的を達成するために、請求項１に記載された発明は、雨水等を一時貯留する貯留
部内に、充填部材を縦横かつ上下に連設して、貯留空間を形成する雨水流出抑制施設にお
いて、前記充填部材には、上下に貫通するパイプ挿通孔が形成されると共に、複数枚、上
下方向に積層された前記充填部材の各パイプ挿通孔に挿通されるパイプ状部材を設け、前
記充填部材の最上部の上面側又は最下部の下面側には、前記パイプ状部材の上端部又は下
端部を当接させて嵌着する端部受部が形成されたパイプ取付部材が装着されている雨水流
出抑制施設を特徴としている。
【００１６】
また、請求項２に記載されたものは、前記パイプ状部材の内部を中空状とすると共に、
前記貯留空間と連通する連通部を有することにより、雨水を該パイプ状部材内部に貯留可
能なパイプ内貯留空間が形成されている請求項１記載の雨水流出抑制施設を特徴としてい
る。
【００１７】
更に、請求項３に記載されたものは、前記パイプ状部材の内部に形成された中空状部に
、補強材を充填する請求項１記載の雨水流出抑制施設を特徴としている。
【発明の効果】
【００１８】
このように構成された本願発明の請求項１記載のものは、前記充填部材のパイプ挿通孔
に挿通された前記パイプ状部材の上下両端が、前記充填部材の最上部の上面側又は最下部
の下面側に装着されたパイプ取付部材の端部受け部に当接されて、嵌着されている。
【００１９】
このため、上下に連設された前記充填部材は、上下両端を前記パイプ取付部材によって
固定された前記パイプ状部材によって、水平方向に移動不能に固定される。
【００２０】
従って、例えば、地震等の大きな水平方向の荷重が加わった際にも、充分な耐荷重性を
発揮出来、前記貯留空間の形状が保持される。
【００２１】
また、請求項２に記載されたものは、前記パイプ状部材の内部に中空状となるように形
成されたパイプ内貯留空間に、前記貯留空間と連通する連通部から、雨水が流入すること
により、該パイプ状部材内部に該雨水が貯留可能となる。
【００２２】
このため、前記パイプ状部材を前記貯留空間に設ける際の貯留容量の減少分量を抑制す
ることが出来、所望の雨水の貯留量を確保しやすい。
【００２３】
更に、請求項３に記載されたものは、前記パイプ状部材の内部に形成された中空状部に
充填された補強材によって、更に、前記水平方向の荷重が加わった際の耐荷重性を向上さ
せることが出来る。
【発明を実施するための最良の形態】
【００２４】
次に、図面に基づいて、この発明を実施するための最良の実施の形態の雨水流出抑制施
設を説明する。
【００２５】
なお、前記従来例と同一乃至均等な部分については同一符号を付して説明する。
【００２６】
図１乃至図１７は、この発明の実施の形態の雨水流出抑制施設を説明するものである。
【００２７】
まず、構成を説明すると、この発明の実施の形態の雨水流出抑制施設２０は、図４に示
すように、歩道２１の側溝部２１ａ、学校２２の校庭２２ａ、公園２３、駐車場２４、若
しくは、雨水管２５ａを有する建物２５等の敷地の地面１が掘り下げられて、貯留部２が
、凹設形成されて、主に構成されるものである。
【００２８】
これらの雨水流出抑制施設２０の貯留部２では、図１に示すように、底面部２ａの中央
部が更に、一段深く掘り下げられて、Ｕ字溝２ｄを設置する溝部２ｃが形成されている。
【００２９】
そして、雨水等を一時貯留するため、底面部２ａ及び側壁面部２ｂが、被覆シート９に
よって覆われていると共に、この貯留部２内に、縦横かつ上下に、複数の充填部材２７が
連設されて、貯留空間２６が構成されている。
【実施例１】
【００３０】
図１乃至図１５は、実施例１の雨水流出抑制施設２０を示している。
【００３１】
この実施例１の雨水流出抑制施設２０では、図６乃至図１１に示すような前記充填部材
２７…が、縦横かつ上下に連設されて、貯留部２内に貯留空間２６を構成している。
【００３２】
このうち、一枚の充填部材２７は、図６及び図７に示すように、ポリプロピレン等の合
成樹脂製材料で構成されていて、水平面に対して、一定の傾斜角度（この実施例１では、
約５度程度）で傾斜する上面視略正方形形状の傾斜板部２７ａと、この傾斜板部２７ａの
四隅に一体に形成されて、上部に連設される他の充填部材２７…及び後述する補強平板部
材３０，３０等の荷重を支持する４本の支持脚柱部２７ｂ，２７ｂ…とを有して、主に構
成されている。
【００３３】
前記傾斜板部２７ａは、一辺を約０．５〜１．２ｍ、厚みを約４〜５ｍｍ程度として、
人力で持ち運び可能な大きさと重さとなるように構成されていると共に、前記傾斜角度に
よって、流入した雨水が、図中矢印に示す所定の方向ｓに導かれるように、一辺の両隅に
位置する前記支持脚柱部２７ｂ，２７ｂ間から反対側の一辺の支持脚柱部２７ｂ，２７ｂ
間に向けて下降するように傾斜された状態で一体となるように固着されている。
【００３４】
この傾斜板部２７ａの裏面側には、所定の間隔で、縦横に一体となるように立設される
ことにより、格子状を呈する複数の補強リブ部２７ｃ…が形成されている。
【００３５】
また、前記支持脚柱部２７ｂは、各々略直角二等辺三角形形状を呈していて、三角筒柱
状を呈する上部柱状嵌着部２７ｄの内側に内嵌されて、連設可能なように略三角状に連結
片が立設された下部柱状嵌着部２７ｅが形成されている。
【００３６】
そして、この充填部材２７の傾斜板部２７ａの略中央位置には、上下に貫通するパイプ
挿通孔２７ｆが形成されている。この実施例１では、このパイプ挿通孔２７ｆの周囲に短
尺円筒形状の円筒状フランジ部２７ｇが、軸方向を上下方向に沿わせて一体に形成されて
いる。
【００３７】
更に、この実施例１では、図１及び図２に示すように、上下に連設される前記充填部材
２７，２７の支持脚柱部２７ｂ，２７ｂ間に装着されて、前記傾斜板部２７ａの高さ位置
を調整可能な連結部材２８…が設けられている。
【００３８】
この連結部材２８は、上面視略直角二等辺三角形形状の三角柱形状を呈し、図５に示す
ように、前記下部柱状嵌着部２７ｅが内嵌されて連結される上部連結部２８ａ及び前記上
部柱状嵌着部２７ｄが外嵌される下部連結部２８ｂとが、一体に設けられている。
【００３９】
また、この連結部材２８には、外側の直交する２面の垂直面２８ｅ，２８ｆのうち、一
方の垂直面２８ｅに、接合凸部２８ｃが突設されている。
【００４０】
更に、この連結部材２８の外側の直交する２面の垂直面２８ｅ，２８ｆのうち、他方の
垂直面２８ｆには、隣接配置される他の連結部材２８の接合凸部２８ｃが、挿通されて嵌
着される接合孔部２８ｄが、開口形成されている。
【００４１】
そして、前記上下方向に、これらの連結部材２８…を介在させて、若しくは介在させず
に、直接、積層されて連結された複数枚の前記充填部材２７…のパイプ挿通孔２７ｆには
、パイプ状部材２９が挿通されている。
【００４２】
このパイプ状部材２９は、上端部２９ａ及び下端部２９ｂに上下開口部２９ｃ，２９ｄ
を有する金属製の中空円筒形状を呈して、前記貯留空間２の深さよりもやや短い長尺状で
、延設方向が鉛直方向に沿う様に立設されている。
【００４３】
この実施例１の前記縦横に並設された複数枚の充填部材２７のうち、最も上部に位置す
る各充填部材２７…の直上には、各充填部材２７に対応して、個別に、パイプ取付部材と
しての補強平板部材３０が載置されている。
【００４４】
この補強平板部材３０は、図１２乃至図１6に示すように、ポリプロピレン等の合成樹
脂製材料で構成されていて、上面視略正方形形状の水平板部３０ａと、この水平板部３０
ａの裏面側の四隅に形成される連結部３０ｂ…と、この裏面側に所定の間隔で、縦横に一
体となるように立設されることにより、格子状を呈する複数の補強リブ部３０ｃ…とを有
して主に構成されている。
【００４５】
このうち、前記水平板部３０ａは、一辺を約０．５〜１．２ｍとして、前記充填部材２
７の傾斜板部２７ａと略同じ大きさとすると共に、上載加重が上方から加わっても、容易
に撓まない所定の厚さ（この実施例１では、約４〜５ｍｍ以上）を有して、人力で持ち運
び可能な大きさと重さとなるように構成されている。
【００４６】
また、この水平板部３０ａには、空気及び雨水が上下方向に連通されるように、複数の
小穴３０ｄ…が、所定の間隔を置いて形成されている。
【００４７】
前記充填部材２７との間には、図５に示す様に、上側連結部材３８…が介在されて、こ
れらの補強平板部材３０と、前記充填部材２７との間を連設可能としている。
【００４８】
この上側連結部材３８は、上面視略直角三角形形状の中空三角柱形状を呈していて、上
下両側面に、前記補強平板部材３０の連結部３０ｂ又は、前記充填部材２７の上部柱状嵌
着部２７ｂに対して内嵌されて、接続される嵌着部３８ａ，３８ａが、フランジ部３８ｂ
を挟んで各々形成されている。
【００４９】
更に、前記連結部３０ｂ…は、略直角二等辺三角形形状の連結開口部に、前記連結部材
２８の前記下部連結部２８ｂ…が各々嵌着されることにより、連設可能に構成されている
。
【００５０】
すなわち、この実施例１では、図５に示すように、前記補強平板部材３０の裏面側を上
方に向けることにより、この補強平板部材３０が、前記貯留部２の底面部２ａに敷設され
て、下方から前記充填部材２７を支持するパイプ取付部材としての板状支持部材５０と同
一形状に形成されることにより、共用されている。
【００５１】
そして、これらの補強平板部材３０及び板状支持部材５０の裏面側略中央位置には、前
記パイプ状部材２９の上端部２９ａ又は下端部２９ｂを各々当接させて嵌着する端部受部
３０ｅ，５０ｅが、一体に凹設形成されている。
【００５２】
この端部受部３０ｅ，５０ｅの周囲には、前記パイプ状部材２９の上端部２９ａ又は下
端部２９ｂを内嵌させて、水平方向への移動を防止する環状の側壁部３０ｆ，５０ｆが、
各々前記水平板部３０ａの裏面側に一体となるように突設形成されている。
【００５３】
次に、この実施例１の雨水流出抑制施設の作用について説明する。
【００５４】
まず、この実施例１の雨水流出抑制施設の施工順序に沿って説明すると、この雨水流出
抑制施設を構築する際、前記貯留部２を地面１に掘削後、この実施例１では、図３に示す
ように、この貯留部２の上流側に、上流側雨水マス４１，４２が、又、貯留部２の下流側
に下流側雨水マス４３が各々設置される。
【００５５】
そして、図１に示すように、底面部２ａに被覆シート９を構成する遮水シート９ａが敷
設されて、前記溝部２ｃの一段下がった部分にＵ字溝２ｄが、前記上流側雨水マス４２か
ら、下流側雨水マス４３方向に向けて延設されて設置される。
【００５６】
そして、この上から前記補強平板部材３０と同一形状の前記板状支持部材５０が、前記
補強平板部材３０の裏面側を上向きに反転させたような状態で、縦横に並べて敷き詰めら
れる。
【００５７】
次に、これらの板状支持部材５０の裏面側に形成された連結部３０ｂ…に、図５に示す
連結部材２８…が嵌着される。
【００５８】
この際、隣接される前記板状支持部材５０，５０の各隅部の連結部材２８，２８同士は
、前記垂直面２８ｅに突設形成された接合凸部２８ｃが、対向する垂直面２８ｆに形成さ
れた他の連結部材２８の接合孔部２８ｄに挿通されて嵌着される。
【００５９】
このため、縦横に隣接配置される各板状支持部材５０，５０間も、連結されることによ
り、垂直剪断方向への個別の板状支持部材５０の沈み込みが防止される。
【００６０】
更に、この連結部材２８…の上から、図２に示すように、前記充填部材２７…及び連結
部材２８…が、交互又は連続して積層される。
【００６１】
この際、前記充填部材２７の支持脚柱部２７ｂに形成された上下柱状嵌着部２７ｄ，２
７ｅが、積層される支持脚柱部２７ｂの上下柱状嵌着部２７ｄ，２７ｅ又は、前記連結部
材２８の上下部連結部２８ａ，２８ｂと嵌合される。
【００６２】
このため、上下方向で、充填部材２７…が、直接又は、前記連結部材２８…を介して、
適宜高さが調整されながら積層されて連設される。
【００６３】
更に、この実施例１では、前記充填部材２７と、充填部材２７との間に介在される各隅
部の連結部材２８，２８同士が、前記垂直面２８ｅに突設形成された接合凸部２８ｃが、
対向する垂直面２８ｆに形成された他の連結部材２８の接合孔部２８ｄに挿通されて嵌着
される。
【００６４】
このため、この連結部材２８の上下に位置して、縦横に隣接配置される各充填部材２７
，２７間も、縦横方向で連結されることになり、垂直剪断方向への個別の各充填部材２７
の沈み込みが防止される。
【００６５】
従って、更に、上載荷重に対して、充分な支持剛性が得られる。
【００６６】
そして、最も上部に位置する充填部材２７の載置が終了した状態で、図５に示すように
、各充填部材２７に形成された前記パイプ挿通孔２７ｆに、上方から前記パイプ状部材２
９が、挿通される。
【００６７】
この際、前記パイプ状部材２９の下端部２９ｂが、前記板状支持部材５０の端部受部５
０ｅに当接するまで、下方に向けて挿入されて、嵌着される。
【００６８】
更に、最も上部に位置するこの充填部材２７の上部柱状嵌着部２７ｄ…に、各々前記上
側連結部材３８…の下側の嵌着部３８ａ…を嵌着させると共に、前記補強平板部材３０が
上方から載置される。
【００６９】
この際、この前記上側連結部材３８…の上側の嵌着部３８ａ…に、前記補強平板部材３
０の裏面側に形成された連結部３０ｂ…が各々嵌着される。
【００７０】
また、前記パイプ状部材２９の上端部２９ａは、前記補強平板部材３０の端部受部３０
ｅに当接されて嵌着される。
【００７１】
このように、前記平板状の補強平板部材３０が、図１又は図２に示すように、前記充填
部材２７の真上に、前記上側連結部材３８…を介在させて個別に載置されると、前記上下
に連設された前記充填部材２７…は、上下両端部２９ａ，２９ｂを前記補強平板部材３０
及び板状支持部材５０によって固定された前記パイプ状部材２９が、前記各パイプ挿通孔
２７ｆ…に挿通されることによって、水平方向に移動不能に固定される。
【００７２】
従って、例えば、地震等の大きな水平方向の荷重が加わった際にも、充分な耐荷重性を
発揮出来、前記貯留空間２６の形状が保持される。
【００７３】
更に、これらの複数の充填部材２７…，補強平板部材３０及び板状支持部材５０で構成
される貯留部２は、被覆シート９で覆われて、雨水等が、一定量一時貯留されるようにな
る。
【００７４】
この被覆シート９の上面側には、再び、所定の厚さの被覆土１ａが載せられて埋め戻さ
れて、敷地の他の部分の地面１の高さと略面一となるように地表の高さが調整されて、略
施工が完了する。
【００７５】
このように施工されたこの実施例１の雨水流出抑制施設２０では、降雨により、雨水が
、前記貯留部２に形成される貯留空間２６内に、前記上流側雨水マス４１，４２等から浸
入すると、これらの雨水が、この貯留空間２６内に一時的に留まる。
【００７６】
このため、一度に大量の雨が降っても、この雨水流出抑制施設２０の貯留部２に形成さ
れる貯留空間２６内に、一定容量を超えるまで一時貯留されて、河川や下水道施設等の豪
雨による急激な増水を緩和することができる。
【００７７】
そして、前記充填部材２７び傾斜板部２７ａに形成された一定の傾斜角度によって、上
流側雨水マス４１，４２等から浸入した雨水と共に、砂礫が、前記Ｕ字溝２ｄ方向に集積
される。このため、メンテナンス性も良好である。
【００７８】
また、前記充填部材２７の直上に個別に載置されている平板状の補強平板部材３０に、
上載荷重が、上方から加わると、平板状の水平板部３０ａ，３０ａの四隅に分散されたこ
の上載荷重が、前記貯留空間２６を構成する前記縦横かつ上下に連設された各充填部材２
７…の四隅に位置する各支持脚柱部２７ｂ…に伝達される。
【００７９】
これらの各支持脚柱部２７ｂに嵌着されている前記連結部材２８…は、隣接配置される
他の連結部材２８と、前記接合凸部２８ｃと接合孔部２８ｄとを挿通させて嵌着されてい
るので、この連結部材２８…を介して、上下方向のみならず、縦横方向にも、この上載荷
重が分散されて下方の充填部材２７…に伝達されて、最も下方に位置する前記板状支持部
材５０…によって下方から支持される。
【００８０】
この際、前記パイプ状部材２９の上端部２９ａが、前記補強平板部材３０の端部受部３
０ｅに当接されているので、前記下端部２９ｂが当接される端部受部５０ｅが形成された
最も下層に位置する前記板状支持部材５０にも上載荷重が分散される。
【００８１】
このため、局所的な上載荷重も、分散されて、前記貯留部２の底面部２ａの略全面に近
い広い面積で、受け止められて、想定される様々な上載荷重に対して、充分な支持剛性が
得られ、地表面の沈没を防止することが出来る。
【００８２】
また、平板状の補強平板部材３０を、前記縦横かつ上下に連設された充填部材２７の真
上に載置させるだけで、被覆土１ａを埋め戻すことができる。被覆土１ａの埋め戻しは、
一層で良いので、従来のように、幾層にも亘り、前記面状材と、被覆土とを交互に埋め戻
さなければならないものに比して、施工作業性が良好である。
【００８３】
更に、被覆土１ａの厚さに拘わらず、所望の支持剛性が得られるので、敷地対応性が良
好である。
【００８４】
また、前記補強平板部材３０が、合成樹脂製材料で構成されているので、軽量で、かつ
充分な剛性を有する補強平板部材３０を、人力で施工可能とすることができる。
【００８５】
この実施例１では、更に、良好な強度を得るため、部分的に補強平板部材３０，３０を
、２枚積層して、四隅近傍を接着することにより、所望の板厚を有する補強体を構成して
も、人力で施工可能とする重量内に納めることができる。
【００８６】
更に、この実施例１では、前記補強平板部材３０及び前記板状支持部材５０の裏面側が
、図５又は図７に示すように所定の間隔で、縦横に一体となるように、複数の補強リブ部
３０ｃ…に立設されて格子状を呈するリブ構造と、一体に前記端部受部３０ｅ，５０ｅの
側壁部３０ｆ，５０ｆが形成されているので、荷重の応力変化部分が少なく、より軽量で
、かつ、上載荷重に対する撓みに強い充分な剛性を得られる。
【００８７】
また、合成樹脂製材料で構成されているので、射出成形等の成型が容易で、量産により
製造コストを減少させることが出来る。
【００８８】
更に、この実施例１の前記補強平板部材３０の水平板部３０ａには、複数の小穴３０ｄ
…が、所定の間隔を置いて形成されている。このため、前記貯留空間２６内の雨水が、増
減しても、空気及び雨水が、これらの小穴３０ｄ…を介して、前記補強平板部材３０の上
下方向に連通される。
【００８９】
従って、浮力等を発生させる空気又は雨水の圧力等が、この水平板部３０ａの上下方向
に加わる虞を減少させることが出来る。
【００９０】
そして、前記充填部材２７の真上に前記補強平板部材３０が載置されるので、貯留空間
２６の容量を減少させる虞がなく、所望の貯留空間２６内の雨水の貯留量を容易に確保出
来る。
【００９１】
この実施例１では、更に、前記補強平板部材３０又は板状支持部材５０の水平板部３０
ａ，５０ａのうち、前記パイプ状部材２９の上下端部２９ａ、２９ｂに形成された上下開
口部２９ｃ、２９ｄに対向する面に形成された複数の小穴３０ｄ…から、雨水を、前記パ
イプ状部材２９の内部の中空空間部内に浸入させることができる。
【００９２】
このため、パイプ状部材２９の内部の中空空間部も貯留空間として利用出来るので、前
記貯留空間２６の容量の減少量を抑制できる。
【実施例２】
【００９３】
図１６は、この発明の実施例２の雨水流出抑制施設に用いられるパイプ状部材１２９を
示すものである。
【００９４】
なお、前記実施例１と同一乃至均等な部分については同一符号を付して説明する。
【００９５】
まず、構成から説明すると、この実施例２のパイプ状部材１２９では、中空状の金属製
円筒の外側面に、内部中空部と外部に位置する前記貯留空間２６とを連通する連通部とし
ての雨水流通孔１２９ａ…が複数個、穿設形成されている。
【００９６】
次に、この実施例２の雨水流出抑制施設の作用について説明する。
【００９７】
このように構成された実施例２の雨水流出抑制施設では、前記実施例１の雨水流出抑制
施設２０の作用効果に加えて、更に、前記パイプ状部材１２９の外側面に穿設形成された
複数の前記雨水流通孔１２９ａ…を介して、前記貯留空間２６内に貯留された雨水が、こ
のパイプ状部材１２９の内部のパイプ内貯留空間内へ、流入又は流出するように挿通され
る。
【００９８】
このため、更に、このパイプ状部材１２９の内部に雨水を一時貯留させやすい。
【００９９】
従って、前記パイプ状部材１２９を前記貯留空間２６に設ける際の貯留容量の減少分量
を抑制することが出来、所望の雨水の貯留量を確保しやすい。
【０１００】
他の構成、及び作用効果については、前記実施例１と略同様であるので、説明を省略す
る。
【実施例３】
【０１０１】
図１７は、この発明の実施例３の雨水流出抑制施設に用いられるパイプ状部材２２９を
示すものである。
【０１０２】
なお、前記実施例１と同一乃至均等な部分については同一符号を付して説明する。
【０１０３】
まず、構成から説明すると、この実施例３のパイプ状部材２２９では、中空状の金属製
円筒の内部に形成された中空状部に、補強材としてのコンクリート２２９ａが充填されて
硬化されている。
【０１０４】
次に、この実施例３の雨水流出抑制施設の作用について説明する。
【０１０５】
このように構成された実施例３の雨水流出抑制施設では、前記実施例１の雨水流出抑制
施設２０の作用効果に加えて、更に、前記パイプ状部材２２９の内部に充填されて、硬化
されたコンクリート２２９ａによって、このパイプ状部材２２９の強度を向上させて、こ
の雨水流出抑制施設全体の強度を向上させることができる。
【０１０６】
また、前記パイプ状部材２２９を施工現場で、各充填部材２７に形成された前記パイプ
挿通孔２７ｆに、上方から挿通した状態で、液状のコンクリート２２９ａを上開口部２９
ｃから流し込み、硬化させる事も出来る。
【０１０７】
この場合、前記パイプ状部材２２９の下端部２９ｂと、前記端部受部５０ｅとの間に流
入したコンクリート２２９ａが、硬化することにより、更に、前記板状支持部材５０と、
このパイプ状部材２２９との接続を強固なものとすることもできる。
【０１０８】
他の構成、及び作用効果については、前記実施例１と略同様であるので、説明を省略す
る。
【０１０９】
以上、図面を参照して、本発明の実施の形態及び実施例１乃至３を詳述してきたが、具
体的な構成は、この実施の形態に限らず、本発明の要旨を逸脱しない程度の設計的変更は
、本発明に含まれる。
【０１１０】
即ち、前記実施の形態では、実施の形態の雨水流出抑制施設２０では、前記充填部材２
７が、ポリプロピレン等の合成樹脂製材料で構成されているが、特にこれに限らず、例え
ば、ポリエチレン、塩化ビニル、ポリエチレンテレフタレート等の合成樹脂製材料で構成
されていてもよい。
【０１１１】
また、前記補強平板部材３０が、ポリプロピレン等の合成樹脂製材料で構成されている
が、特にこれに限らず、例えば、ポリエチレン、塩化ビニル、ポリエチレンレテフタレー
ト等の合成樹脂製材料で構成されていても良く、前記充填部材２７の直上に、各充填部材
２７に対応して、個別に載置されていれば、形状、数量、及び材質が特に限定されるもの
ではない。
【０１１２】
更に、前記パイプ状部材２９，１２９，２２９は、金属製で、中空円筒形状を呈するよ
に構成されているが、特にこれに限らず、例えば、硝子繊維や炭素繊維が含まれる合成樹
脂製材料で構成されていても良く、また、中実の円柱形形状若しくは、三角形柱、四角形
柱等、多角形形状の柱材若しくは筒材で構成されていてもよく、形状、数量、及び材質が
特に限定されるものではない。
【図面の簡単な説明】
【０１１３】
【図１】この発明の最良の実施の形態の実施例１の雨水流出抑制施設で、充填部材が連設された貯留部の内部の構成を説明する図３中Ａ−Ａ線に沿った位置での縦面図である。
【図２】実施例１の雨水流出抑制施設で、要部の構成を説明する雨水流出抑制施設内の一部の積層構造を説明する側面図である。
【図３】実施例１の雨水流出抑制施設で、全体の構成を説明する一部断面分解斜視図である。
【図４】実施例１の雨水流出抑制施設が用いられる様々な態様を説明する模式的な一部断面斜視図である。
【図５】実施例１の雨水流出抑制施設に用いられる充填部材と補強部材との積層構造を説明し、積層途中を一部省略した分解斜視図である。
【図６】実施例１の雨水流出抑制施設で、充填部材の上面側の構成を説明する斜視図である。
【図７】実施例１の雨水流出抑制施設で、充填部材の下面側の構成を説明する斜視図である。
【図８】実施例１の雨水流出抑制施設に用いられる充填部材の平面図である。
【図９】実施例１の雨水流出抑制施設に用いられる充填部材を図８中矢視Ｂ方向から見た側面図である。
【図１０】実施例１の雨水流出抑制施設に用いられる充填部材を図８中矢視Ｃ方向から見た側面図である。
【図１１】実施例１の雨水流出抑制施設に用いられる充填部材で、図８中Ｄ−Ｄ線に沿った位置での断面図である。
【図１２】実施例１の雨水流出抑制施設に用いられる補強平板部材で、図１５中矢視Ｅ方向から見た様子を示す側面図である。
【図１３】実施例１の雨水流出抑制施設に用いられる補強平板部材で、図１５中Ｆ−Ｆ線に沿った位置での断面図である。
【図１４】実施例１の雨水流出抑制施設に用いられる補強平板部材で、図１５中Ｇ−Ｇ線に沿った位置での断面図である。
【図１５】実施例１の雨水流出抑制施設に用いられる補強部材の裏面の構成を説明する平面図である。
【図１６】実施例２の雨水流出抑制施設で、パイプ状部材を説明する要部の縦断面図である。
【図１７】実施例３の雨水流出抑制施設で、パイプ状部材を説明する要部の縦断面図である。
【図１８】従来例の雨水流出抑制施設で、全体の構成を説明する敷地内貯留部の縦断面図である。
【符号の説明】
【０１１４】
１              地面
２              貯留部
２０            雨水流出抑制施設
２６            貯留空間
２７            充填部材
２７ｆ          パイプ挿通孔
２９，１２９，２２９
パイプ状部材
２９ａ，２９ｂ  上下端部
パイプ取付部材
３０            補強平板部材
５０            板状支持部材
３０ｅ，５０ｅ  端部受部
１２９ａ        雨水流通孔（連通部）
１２９ｂ        パイプ内貯留空間
２２９ａ        コンクリート（補強部材）
【図１】
2006083555.tif 000003
【図２】
2006083555.tif 000004
【図３】
2006083555.tif 000005
【図４】
2006083555.tif 000006
【図５】
2006083555.tif 000007
【図６】
2006083555.tif 000008
【図７】
2006083555.tif 000009
【図８】
2006083555.tif 000010
【図９】
2006083555.tif 000011
【図１０】
2006083555.tif 000012
【図１１】
2006083555.tif 000013
【図１２】
2006083555.tif 000014
【図１３】
2006083555.tif 000015
【図１４】
2006083555.tif 000016
【図１５】
2006083555.tif 000017
【図１６】
2006083555.tif 000018
【図１７】
2006083555.tif 000019
【図１８】
2006083555.tif 000020